(57)【要約】【課題】噴霧部からの液滴の噴霧が停止している場合も、水供給配管の内部が衛生的に維持される液滴発生装置を提供すること。【解決手段】建物Ｈの外面に配設され、液滴を建物の外側で噴霧する複数の噴霧部２と、噴霧部に液体を供給する液体供給管３１を有する液体供給手段３と、噴霧部に空気を供給する空気供給管４１を有する空気供給手段４と、噴霧部からの液滴の噴霧を制御可能な制御手段と、液体供給管に除菌水または空気を供給可能な除菌手段６と、を備え、噴霧部では、空気供給管から供給された空気の流れに液体供給管からの液体が供給されることで液滴が噴霧され、除菌手段は、噴霧部からの液滴の噴霧が停止している間に、液体供給管に除菌水または空気を供給する液滴発生装置１とする。【選択図】図１
2017031660.tif 000002
【特許請求の範囲】
【請求項１】
建物の外面に配設され、液滴を前記建物の外側で噴霧する複数の噴霧部と、
前記噴霧部に液体を供給する液体供給管を有する液体供給手段と、
前記噴霧部に空気を供給する空気供給管を有する空気供給手段と、
前記噴霧部からの前記液滴の噴霧を制御可能な制御手段と、
前記液体供給管に除菌水または空気を供給可能な除菌手段と、
を備え、
前記噴霧部では、前記空気供給管から供給された空気の流れに前記液体供給管からの液体が供給されることで前記液滴が噴霧され、
前記除菌手段は、前記噴霧部からの前記液滴の噴霧が停止している間に、前記液体供給管に除菌水または空気を供給することを特徴とする液滴発生装置。
【請求項２】
前記制御手段は、前記噴霧部に供給される液体量と空気量を調整することで前記噴霧部から噴霧される前記液滴の粒径を制御可能であることを特徴とする請求項１に記載の液滴発生装置。
【請求項３】
前記噴霧部からの前記液滴の噴霧が停止している場合に、前記液体供給管に前記除菌水を供給不能な閉鎖領域が形成され、この閉鎖領域に前記空気供給手段からの空気を供給可能であることを特徴とする請求項１または２に記載の液滴発生装置。
【発明の詳細な説明】
【技術分野】
【０００１】
本発明は、建物の外側で液滴を噴霧するための液滴発生装置に関する。
【背景技術】
【０００２】
従来より、建物外壁部付近で霧状の液滴を噴出させることにより、外壁部付近の水の気化によって外気や建物を冷却する技術が知られている。
例えば、特許文献１には、建物の外壁部から離間して設けられた複数の通気開口部を有する空間仕切体に、霧状の水を噴出させる噴出手段（噴霧部）を備えた液滴発生装置（建物冷却装置）が記載されている。
【先行技術文献】
【特許文献】
【０００３】
【特許文献１】特開2011−127295号公報
【発明の概要】
【発明が解決しようとする課題】
【０００４】
しかしながら、特許文献１のような従来の液滴発生装置では、噴霧部からの液滴の噴霧を長時間停止させていると、噴霧部に水を供給する水供給配管内に残存する水に雑菌が繁殖してしまう場合がある。この場合、噴霧部からの液滴の噴霧を再開させると、噴霧部から不衛生な液滴が噴霧されることになるため、この液滴を人が吸引等した場合には、健康に害を及ぼす恐れがある。
【０００５】
本発明は、以上のとおりの事情に鑑みてなされたものであり、噴霧部からの液滴の噴霧が停止している場合も、水供給配管の内部が衛生的に維持される液滴発生装置を提供することを課題としている。
【課題を解決するための手段】
【０００６】
上記の課題を解決するために、本発明の液滴発生装置は、
建物の外面に配設され、液滴を前記建物の外側で噴霧する複数の噴霧部と、
前記噴霧部に液体を供給する液体供給管を有する液体供給手段と、
前記噴霧部に空気を供給する空気供給管を有する空気供給手段と、
前記噴霧部からの前記液滴の噴霧を制御可能な制御手段と、
前記液体供給管に除菌水または空気を供給可能な除菌手段と、
を備え、
前記噴霧部では、前記空気供給管から供給された空気の流れに前記液体供給管からの液体が供給されることで前記液滴が噴霧され、
前記除菌手段は、前記噴霧部からの前記液滴の噴霧が停止している間に、前記液体供給管に除菌水または空気を供給することを特徴としている。
【発明の効果】
【０００７】
本発明の液滴発生装置によれば、噴霧部からの液滴の噴霧が停止している場合も、水供給配管の内部を衛生的に維持することができる。
【図面の簡単な説明】
【０００８】
【図１】本発明の液滴発生装置の一実施形態を例示した概要図である。
【図２】本発明の液滴発生装置の制御手段による制御の一形態を例示したブロック図である。
【図３】本発明の液滴発生装置において、液体供給管を除菌するための一形態を例示した概要図である。
【発明を実施するための形態】
【０００９】
図１は、本発明の液滴発生装置の一実施形態を例示した概要図である。図２は、本発明の液滴発生装置の制御手段による制御の一形態を例示したブロック図である。
【００１０】
液滴発生装置１は、噴霧部２と、噴霧部２に液体を供給する液体供給管３１を有する液体供給手段３と、噴霧部２に空気を供給する空気供給管４１を有する空気供給手段４とを備えている。また、液滴発生装置１は、噴霧部２からの液滴の噴霧を制御可能な制御手段５と、液体供給管３１に除菌水または空気を供給可能な除菌手段６を備えている。
【００１１】
噴霧部２は、建物Ｈの外面に複数配設されており、建物Ｈから遠ざかる方向や、下方向や、建物Ｈ側に向かって、液滴を建物Ｈの外側で噴霧する。建物Ｈの外面における噴霧部２の配設位置は特に限定されず、液滴による冷却作用や動物に対する忌避作用などが望まれる所望の位置に配設することができる。ここでいう「建物の外面」には、建物Ｈの外壁Ｗ、屋根Ｒ、軒樋Ｓ、軒下Ｕ、ベランダＤなどが含まれる。図１に例示した実施形態では、噴霧部２は、建物Ｈの屋根Ｒの頂部、軒樋Ｓの下方付近、軒下Ｕ、ベランダＤの下部および外壁Ｗの下方部に設けられている。液滴発生装置１は、噴霧部２が建物Ｈの外面に配設されているため、建物Ｈの外観が良好であり、大がかりな設置スペースを確保する必要もない。
【００１２】
噴霧部２には、液体供給手段３の液体供給管３１と、空気供給手段４の空気供給管４１とが接続されている。噴霧部２の具体的な形態は特に限定されないが、空気供給管４１から供給される空気の流れに液体供給管３１からの液体が供給されることにより、噴霧部２で微細な霧状の液滴が生成される二流体ノズルの形態を好ましく例示することができる。
【００１３】
液体供給手段３の液体供給管３１の一端は噴霧部２と接続している。液体供給手段３には、液体供給管３１の他に、開度を調整可能な水量調整弁（図示していない）、ポンプなどの液体用圧力制御装置３２、流量検知計（図示していない）、ストレーナー（図示していない）などが含まれる。また、液体供給管３１の他端が接続する水供給源（図示していない）としては、例えば、水道からの水やタンクに貯留された雨水などを例示することができる。なお、例えば、水道からの供給圧によって液体供給管３１から噴霧部２へ十分な供給ができる場合は、ポンプなどの液体用圧力制御装置３２の設置を省略することができる。
【００１４】
空気供給手段４の空気供給管４１の一端は噴霧部２と接続している。空気供給手段４には、空気供給管４１の他に、開度を調整可能な空気量調整弁（図示していない）、コンプレッサーやブロアなどの空気用圧力制御装置４２、空気量検知計（図示していない）などが含まれる。図１に例示した実施形態では、空気供給管４１の他端に空気用圧力制御装置４２が接続されており、空気用圧力制御装置４２によって生成された圧縮空気が空気供給管４１を通じて噴霧部２に供給される構造になっている。
【００１５】
この実施形態では、液体供給手段３の液体供給管３１（液体用圧力制御装置３２と噴霧部２の間）と、軒樋Ｓの下方の噴霧部２付近に、噴霧部２に供給される液体に機能性液剤を添加する液剤添加部Ｖが設けられている。ここでいう「機能性液剤」とは、各種の色に着色された液体、臭い付きの液体、動物・害虫の忌避剤入りの液体などをいう。なお、忌避剤は、例えば、イヌ、ネコ、イノシシ、シカ、タヌキ、イタチ、キツネ、モグラ、ネズミ、カラスなどの動物に対して忌避作用を有する物質が添加された公知のものを適宜使用することができる。
【００１６】
図２に例示したように、この実施形態では、制御手段５は、液体供給手段３、空気供給手段４、液剤添加部Ｖ、除菌手段６およびセンサーＴと接続している。
【００１７】
制御手段５が噴霧部２からの液滴の噴霧を制御する形態は特に限定されない。例えば、液体供給手段３を構成する水量調整弁および空気供給手段４を構成する空気量調整弁の開状態と閉状態を切り替えることで、適宜なタイミングで噴霧部２からの液滴の噴霧の開始と停止を切り替えることができる。
【００１８】
また、制御手段５は、噴霧部２に供給される液体量と空気量を調整することで、噴霧部２から噴霧される液滴の粒径（平均粒径）を制御することができる。制御手段５は、例えば、水量調整弁および空気量調整弁の開度を制御することで、噴霧部２に供給される液体量（体積）と空気量（体積）の比率を調整することができる。液体量に対する空気量（空気量／液体量の値）が大きくなるほど、噴霧部２から噴霧される液滴の粒径は小さくなる傾向がある。制御手段５は、気温や湿度、その他の液滴の噴霧の目的に応じて液滴の粒径を１０ｎｍ〜１００μｍ程度の範囲で調整することができる。制御手段５によって、噴霧部２に供給される液体量と空気量とが調整されるため、噴霧される液滴の粒径の大きさを精度よく制御することができる。
【００１９】
センサーＴは、検知領域内へ侵入した物体（侵入者・動物など）を検知してその検知情報を制御手段５に供給することができる。この実施形態では、センサーＴは、建物Ｈの屋根Ｒの頂部、軒樋Ｓの下方、ベランダＤの下部、フェンスＦの上部に設けられている。
【００２０】
センサーＴは、例えば、赤外線センサー、電波センサーなどの公知の物体検知センサーを適宜使用することができる。また、センサーＴは、物体の存在の有無とともに、物体の大きさを検知可能であることが好ましい。さらに、センサーＴは、温度、湿度、日射量、浮遊している塵埃量（花粉などの微粒子の量）などを検知可能であることが好ましい。
【００２１】
この実施形態では、設置された複数のセンサーＴのそれぞれが、侵入した物体、温度、湿度、日射量、浮遊している塵埃量のうちの１種または２種以上を検知することができる。
【００２２】
センサーＴが物体（侵入者、動物）を検知していない場合は、制御手段５は液剤添加部Ｖを作動させない。この場合、制御手段５は、温度、湿度、日射量、塵埃量などの検知情報に基づいて、液体供給手段３および空気供給手段４を制御して、噴霧部２から機能性液剤を含まない液滴を噴霧させることができる。この際、制御手段５は、温度、湿度、日射量、塵埃量などの検知情報に基づいて、噴霧部２から噴霧される液滴の粒径（平均粒径）、液滴の噴霧量、噴霧のタイミングなどを制御することができる。これによって、外気や建物Ｈ周囲の冷却、湿度の調整、塵埃の低減などを行うことができる。
【００２３】
一方、センサーＴが物体（侵入者・動物）を検知した場合は、センサーＴが検知した情報は制御手段５へと送られる。センサーＴからの検知情報を受けた制御手段５は、例えば、液体供給手段３および空気供給手段４を制御して、液体供給管３１および空気供給管４１を通じて噴霧部２への液体と空気の供給を開始させる。そして、制御手段５は、液剤添加部Ｖを作動させて、液体供給管３１内の液体（噴霧部２に供給される液体）に機能性液剤を添加させる制御を行う。これによって、液体供給管３１を通じて供給された機能性液剤を含む液体は、噴霧部２で空気供給管４１から供給された空気と合流して、噴霧部２から機能性液剤を含む液滴が噴霧される。
【００２４】
また、制御手段５は、センサーＴによって検知された物体の大きさに応じて、液剤添加部Ｖから添加される機能性液剤の種類を選択する制御が可能であることが好ましい。
【００２５】
具体的には、例えば、センサーＴが検知領域に侵入した物体の存在と、その大きさを検知した場合、この検知情報はセンサーＴから制御手段５に送られる。制御手段５は、物体の大きさに関する情報から、検知された物体が人（侵入者）であると判定した場合は、液剤添加部Ｖから液体供給管３１内の水に、着色された液体や臭い付きの液体などが所定量で添加されるように制御することができる。これによって、着色された液体や臭い付きの液体が噴霧部２から液滴となって噴霧される。したがって、噴霧された液滴が侵入者に接触すると、付着した色素や臭いによって、侵入者が逃走した場合も追跡などが容易になるため、威嚇効果、防犯効果を高めることができる。
【００２６】
また、制御手段５は、センサーＴから送られた物体の大きさに関する情報から、検知された物体が小動物や鳥類などであると判定した場合は、制御手段５は、液剤添加部Ｖから液体供給管３１内の水に、動物の忌避剤入りの液体が所定量で添加されるように制御することができる。これによって、動物の忌避剤入りの液体などが噴霧部２から液滴となって噴霧されるため、噴霧された液滴によって動物に警戒心、恐怖心を与えて撃退することができる。
【００２７】
なお、この実施形態では、センサーＴによる検知情報に基づいて制御手段５が液剤添加部Ｖにおける動作を制御する形態を例示したが、このような形態に限定されることはない。例えば、予め設定された時間に、液剤添加部Ｖから液体供給管３１内の水に機能性液剤が添加されて噴霧部２から液滴となって噴霧されるように制御することもできる。この場合、例えば動物や害虫（蚊、ハエ、ダニなど）の忌避剤入りの液体を定期的に噴霧することで、動物の侵入や害虫の発生などの予防することができる。
【００２８】
除菌手段６は、配管を介して液体供給管３１と接続している。除菌手段６は、上記のような噴霧部２からの液滴の噴霧が停止している間に、液体供給管３１に除菌水または空気を供給することができる。
【００２９】
具体的には、例えば、制御手段５によって液体供給手段３と空気供給手段４が作動していない時間（噴霧部２からの液滴の噴霧が停止している時間）を算出することができる。そして、算出された時間が予め設定された値を超えた場合に、制御手段５は、除菌手段６によって液体供給管３１に除菌水または空気が供給されるように制御することができる。具体的には、例えば、噴霧部２からの液滴の噴霧が停止している時間が５分〜１２時間経過した場合に、除菌手段６によって液体供給管３１に除菌水または空気が供給されるように設定することができる。
【００３０】
除菌手段６が除菌水を供給する形態である場合、供給される除菌水は、例えば、オゾン水や塩素水であることが好ましい。この場合、オゾン水のオゾン濃度や塩素水の塩素濃度は、除菌作用を確保しつつ、人体に悪影響を与えない範囲である。除菌手段６から供給された除菌水が液体供給管３１に行きわたることで、液体供給管３１内が除菌されるため、液体供給管３１内部に残存する液体に雑菌が繁殖することが抑制される。そして、除菌手段６から液体供給管３１に供給された除菌水は、短時間であれば液体供給管３１に貯水してもよいが、液体供給管３１に低圧の空気を供給することにより、噴霧部２から液滴として排出することができる。この場合、例えば、制御手段５によって、液体供給管３１に供給される空気の圧力を制御することで、除菌水の液滴の拡散範囲を抑えることもできる。
【００３１】
また、除菌手段６が空気を供給する形態である場合、供給される空気は、温風や冷風などであってよい。除菌手段６からの空気によって液体供給管３１内の残水を排出または乾燥させることで、液体供給管３１内で雑菌が繁殖することが抑制される。供給された空気は、例えば噴霧部２などから排気することができる。
【００３２】
このように、除菌手段６は、噴霧部２からの液滴の噴霧が停止している間に、液体供給管３１に除菌水または空気を供給する。このため、噴霧部２からの液滴の噴霧が停止している場合も水供給配管３１の内部が衛生的に維持され、噴霧部２からの液滴の噴霧が再開されても、噴霧された液滴によって人体に害を与えることが抑制される。
【００３３】
図３は、本発明の液滴発生装置において、液体供給管を除菌するための一形態を例示した概要図である。
【００３４】
液体供給手段３は、液体用圧力制御装置３２およびこれと接続する液体供給管３１を備えており、液体供給管３１に、噴霧部２Ａ、２Ｂ、２Ｃが設けられている。また、噴霧部２Ａと隣接する液体供給管３１の上流側と下流側に水量調整弁３３ａ、３３ｂが設けられている。同様に、噴霧部２Ｂと隣接する液体供給管３１の上流側と下流側に水量調整弁３３ｃ、３３ｄが設けられており、噴霧部２Ｃと隣接する液体供給管３１の上流側と下流側に水量調整弁３３ｅ、３３ｆが設けられている。
【００３５】
除菌手段６は、噴霧部２Ａの上流側において配管６１を介して、液体供給管３１と接続している。
【００３６】
空気供給手段４は、空気用圧力制御装置４２およびこれと接続する空気供給管４１を備えている。さらに、空気供給管４１には、分岐路４１ａ、４１ｂ、４１ｃが形成されており、それぞれ噴霧部２Ａ、２Ｂ、２Ｃと接続している。
【００３７】
液滴発生装置１は、制御手段５（図３では図示していない）によって水量調整弁３３ａ〜３３ｆの開閉を制御することで、液滴の噴霧が行われる噴霧部２を選択することができる。具体的には、例えば、制御手段５によって、水量調整弁３３ａ〜３３ｃを開に制御し、水量調整弁３３ｄ〜３３ｆを閉に制御した場合、噴霧部２Ａ、２Ｂにおいて、分岐路４１ａ、４１ｂからの空気の流れに液体供給管３１からの液体が供給されて液滴が噴霧される。
【００３８】
この形態の液滴発生装置１では、噴霧部２Ａ、２Ｂ、２Ｃからの液滴の噴霧が停止している場合、例えば水量調整弁３３ａ〜３３ｆを開にして、除菌手段６から除菌水または空気を液体供給管３１に供給することができる。これによって、水供給配管３１の内部が衛生的に維持され、噴霧部２Ａ、２Ｂ、２Ｃからの液滴の噴霧が再開されても、噴霧された液滴によって人体に害を与えることが抑制される。除菌水は、例えば噴霧部２Ａ、２Ｂ、２Ｃなどから排出することができる。
【００３９】
一方、液滴発生装置１は、例えば水量調整弁３３ａ〜３３ｆを閉にすることで、噴霧部２Ａ、２Ｂ、２Ｃからの液滴の噴霧を停止させる場合がある。この場合、液体供給管３１には、水量調整弁３３ａ、３３ｂの間、水量調整弁３３ｃ、３３ｄの間および水量調整弁３３ｅ、３３ｆの間に閉鎖領域Ｍ１〜Ｍ３が形成され、この閉鎖領域Ｍ１〜Ｍ３に水が残存していることが考えられる。また、水量調整弁３３ａ〜３３ｆが閉に制御されている状態では、この閉鎖領域Ｍ１〜Ｍ３に除菌手段６からの除菌水や空気を供給するは難しい。
【００４０】
この場合、この形態の液滴発生装置１では、空気供給手段４の空気供給管４１を通じて空気を噴霧部２Ａ、２Ｂ、２Ｃへ供給することができる。噴霧部２Ａ、２Ｂ、２Ｃは、閉鎖領域Ｍ１〜Ｍ３に接続し、近接しているため、空気供給手段４からの空気によって、閉鎖領域Ｍ１〜Ｍ３内の残水を排出したり、乾燥させることができる。このため、噴霧部２Ａ、２Ｂ、２Ｃからの液滴の噴霧が停止して液体供給管３１に閉鎖領域Ｍ１〜Ｍ３が形成されている場合も、水供給配管３１の内部が衛生的に維持される。したがって、噴霧部２Ａ、２Ｂ、２Ｃからの液滴の噴霧が再開されても、噴霧された液滴によって人体に害を与えることが抑制される。
【００４１】
以上のように、本発明の液滴発生装置１は、建物Ｈの外面に配設され、液滴を建物Ｈの外側で噴霧する複数の噴霧部２を備えている。また、本発明の液滴発生装置１は、噴霧部２に液体を供給する液体供給管３１を有する液体供給手段３と、噴霧部２に空気を供給する空気供給管４１を有する空気供給手段４とを備えている。さらに、本発明の液滴発生装置１は、噴霧部２からの液滴の噴霧を制御可能な制御手段５と、液体供給管３１に除菌水または空気を供給可能な除菌手段６を備えている。
【００４２】
そして、噴霧部２では、空気供給管３１から供給された空気の流れに液体供給管４１からの液体が供給されることで液滴が噴霧される。除菌手段６は、噴霧部からの液滴の噴霧が停止している間に、液体供給管４１に除菌水または空気を供給する。
【００４３】
この液滴発生装置１では、制御手段５は、噴霧部２に供給される液体量と空気量を調整することで噴霧部２から噴霧される液滴の粒径を制御可能であることが好ましい。
【００４４】
この液滴発生装置１では、噴霧部２からの液滴の噴霧が停止している場合に、液体供給管３１に除菌水を供給不能な閉鎖領域Ｍ１〜Ｍ３が形成され、この閉鎖領域Ｍ１〜Ｍ３に空気供給手段４からの空気を供給可能であることがより好ましい。
【００４５】
本発明の液滴発生装置は、以上の実施形態に限定されることはない。例えば、制御手段では、液滴の噴霧が行われる噴霧部を選択する制御や、各噴霧部に供給される最適な空気量を調整する制御などを行うこともできる。また、液体供給管には、液体の排出部を設けることもでき、除菌手段から供給された除菌水をこの排出部から排出することもできる。
【符号の説明】
【００４６】
１    液滴発生装置
２    噴霧部
３    液体供給手段
３１  液体供給管
４    空気供給手段
４１  空気供給管
５    制御手段
６    除菌手段
Ｈ    建物
Ｍ１〜Ｍ３  閉鎖領域
【図１】
2017031660.tif 000003
【図２】
2017031660.tif 000004
【図３】
2017031660.tif 000005